(57)【要約】【課題】  上流側流路からの原水の供給圧力が変化した場合でも、原水中の混合用薬剤の濃度にバラツキが生じるのを抑制できると共に、原水中の混合用薬剤の濃度を所定時間維持しつつ混合用薬剤を原水に混合してゆくことのできる混合用アタッチメントを提供する。【解決手段】  上流側流路１３と下流側流路１４との間に介在して設けられ、薬剤収容室１５に収容された混合用薬剤を上流側流路１３から流入した原水に混合しつつ、該原水と共に下流側流路１４に流出させる混合用アタッチメント１０であって、内側筒体１９と外側筒体２０とを有しており、内側筒体１９の内側を原水主流路２１とすると共に、内側筒体１９と外側筒体２０との間の中空部を薬剤収容室１５とし、且つ、原水主流路（第１縮径部）２１ａの内径Ｄ１は、薬剤収容室１５への原水流入路１６の流入口１６ｃが開口している部分（流入口開口部）２１ｂの原水主流路内径Ｄ２に対し、小さくなっている。【選択図】      図２
2005152816.tif 000002
【特許請求の範囲】
【請求項１】
上流側流路と下流側流路との間に介在して設けられ、薬剤収容室に収容された混合用薬剤を上流側流路から流入した原水に混合しつつ、該原水と共に下流側流路に流出させる混合用アタッチメントであって、
内側筒体と外側筒体とを有しており、前記内側筒体の内側を原水主流路とすると共に、内側筒体と外側筒体との間の中空部を、前記薬剤収容室とし、
且つ、前記原水主流路（第１縮径部）内径Ｄ１は、前記薬剤収容室への原水流入路の流入口が開口している部分（流入口開口部）の原水主流路内径Ｄ２に対し、小さい混合用アタッチメント。
【請求項２】
前記流入口が開口する部分の上流側直後の原水主流路（第２縮径部）内径Ｄ３は、前記内径Ｄ２より小さいか、もしくは等しく、
且つ、前記内径Ｄ１より大きい請求項１記載の混合用アタッチメント。
【請求項３】
前記流入口は、前記第２縮径部の内径Ｄ３よりも外側に開口している請求項２記載の混合用アタッチメント
【請求項４】
前記流入口は、流入口開口部の内側面に開口している請求項１記載の混合用アタッチメント
【請求項５】
前記原水流入路は、前記原水主流路の内側面の前記流入口から前記薬剤収容室に向かって斜めに延設する部分を含んで設けられている請求項１〜４のいずれかに記載の混合用アタッチメント。
【請求項６】
薬剤散布器具に取り付けて使用される、請求項１〜５のいずれかに記載の混合用アタッチメント。
【請求項７】
請求項１〜６のいずれかに記載の混合用アタッチメントを一体として取り付けた薬剤散布器具。
【発明の詳細な説明】
【技術分野】
【０００１】
本発明は、混合用薬剤を原水に混合しつつ、該原水と共に流出させる混合用アタッチメント、及び該混合用アタッチメントを一体として取り付けた薬剤散布器具に関する。
【背景技術】
【０００２】
例えばシャワー器具等の散布器具において、ホース等の管路を経て供給される原水に入浴剤等の薬剤を混合用薬剤として添加混合し、これらの混合用薬剤とともに原水を散布器具から散布できるようにしたアタッチメントが開示されている（例えば、特許文献１参照）。
【０００３】
特許文献１に記載のアタッチメントは、図９に示すように、内側筒体５０と外側筒体５１とからなる２重構造を備えており、内側筒体５０の内側を原水の主通水路５２とすると共に、内側筒体５０と外側筒体５１との間を副通水路（薬剤収容室）５３として、内部に水によって溶出する固形化された化粧剤を封入してなるものである。そして、特許文献１に記載のアタッチメントによれば、薬剤収容室５３への原水の流入口に設けられた円板状配水板５４に対して、これの上流側に重ねて配置された円板状制御板５５を、つまみ５６を介して相対的にスライド回転させることにより、通水孔５７を開閉操作することができるようになっている。
【０００４】
また特許文献１に記載のアタッチメントによれば、ホースによる上流側流路５８から給送される原水は、ホース取付部５９を介して当該ホース取付部５９よりも内径が大きくなった液分配室６０に流入し、この液分配室６０から、内側筒体５０の内側の主通水路５２と、解放時の通水孔５７を介して連通する内側筒体５０と外側筒体５１との間の薬剤収容室５３とに、原水を分配して流入させることができるようになっている。
【特許文献１】実開平６−８１３８９号公報
【発明の開示】
【発明が解決しようとする課題】
【０００５】
しかしながら、上記従来の混合用アタッチメントによれば、通水孔５７による薬剤収容室５３への流入口は、主通水路５２への流入口と同じ面内において当該主通水路５２への流入口に隣接して設けられており、上流側流路５８からの供給圧力に応じた流量の原水が薬剤収容室５３に流入してゆくことになるため、その供給圧力の強弱によって、薬剤収容室５３において原水に溶解又は希釈された後の主通水路５２の原水中の混合用薬剤の濃度に大きなバラツキが生じやすくなる。また、例えばシャワーを開始してから終了するまでの間に、薬剤収容室に収容された混合用薬剤の量が減少して行くと、特に収容された混合用薬剤が例えば２００mPa・sec〜４００００mPa・sec程度の粘度を有するものである場合には、原水中の混合用薬剤の濃度を所望の範囲に維持することが困難になる。
【０００６】
本発明は、上流側流路からの原水の供給圧力が変化した場合でも、原水中の混合用薬剤の濃度にバラツキが生じるのを抑制できると共に、原水中の混合用薬剤の濃度を所望の範囲に所定時間維持しつつ混合用薬剤を原水に混合してゆくことのできる混合用アタッチメントを提供することを目的とする。
【課題を解決するための手段】
【０００７】
本発明は、上流側流路と下流側流路との間に介在して設けられ、薬剤収容室に収容された混合用薬剤を上流側流路から流入した原水に混合しつつ、該原水と共に下流側流路に流出させる混合用アタッチメントであって、内側筒体と外側筒体とを有しており、前記内側筒体の内側を原水主流路とすると共に、内側筒体と外側筒体との間の中空部を、前記薬剤収容室とし、且つ、前記原水主流路（第１縮径部）内径Ｄ１は、前記薬剤収容室への原水流入路の流入口が開口している部分（流入口開口部）の原水主流路内径Ｄ２に対し、小さい混合用アタッチメント、及び該混合用アタッチメントを一体として取り付けた薬剤散布器具を提供することにより、上記目的を達成したものである。
【発明の効果】
【０００８】
本発明の混合用アタッチメント及び該混合用アタッチメントを一体として取り付けた薬剤散布器具によれば、上流側流路からの原水の供給圧力が変化した場合でも、原水中の混合用薬剤の濃度にバラツキが生じるのを抑制できると共に、原水中の混合用薬剤の濃度を所望の範囲に所定時間維持しつつ混合用薬剤を原水に混合してゆくことができる。
【０００９】
また、薬剤収容室（副通水路）と原水主流路を形成した混合用アタッチメントの場合、原水主流路を流れる原水の流量が多すぎると、薬剤収容室に分配される流量が少なくなり、原水中の混合用薬剤濃度を所望の濃度範囲内に所定時間維持した状態で混合用薬剤を原水に混合してゆくことが困難であった。また薬剤収容室（副通水路）に分配される流量が多すぎると、混合用薬剤をシャワー水と共に流出させたシャワー流量を、所望の流量に確保しつつ混合用薬剤の濃度を所望の範囲にするのが困難であった。
【００１０】
本発明の混合用アタッチメントを一体として取り付けたシャワー器具によれば、副通水路に分配される流量に対して、原水主流路を流れる流量を７〜２５倍にすることで、シャワー流量を混合用アタッチメントを用いない一般のシャワー器具の流量（８Ｌ／分〜１５Ｌ／分）に対し８５％〜１００％にすることができる。これにより、良好なシャワー流量が得られ、且つ原水中の混合用薬剤の濃度を所望の範囲として、所望の濃度を所定時間維持しつつ混合用薬剤を原水に混合してゆくことができる。
【発明を実施するための最良の形態】
【００１１】
本発明の好ましい第１実施形態に係る混合用アタッチメント１０は、図１に示すように、例えば、散布器具であるシャワー器具１１と、シャワー水供給ホース１２との間に介在して取り付けられ、原水であるシャワー水に浴用薬剤、洗浄用薬剤、香料薬剤、スキンケア用薬剤等の薬剤を添加混合しつつ下流側のシャワー器具１１に向けて流下させて、これらの混合用薬剤が混合されたシャワー水によってシャワーを行うことを可能にするべく用いられるものである。
【００１２】
そして、本第１実施形態の混合用アタッチメント１０は、図２（ａ），（ｂ）、及び図３に示すように、シャワー水供給ホース１２内の上流側流路１３とシャワー器具１１内の下流側流路１４との間に介在して設けられ、薬剤収容室１５に液状、ゲル状、粒状等の状態で収容された薬剤を上流側流路１３から流入した原水に混合しつつ、当該混合用薬剤を希釈又は溶解させた混合液を原水と共に下流側流路１４に流出させるアタッチメントであって、同心状に配置された内側円筒体１９と外側円筒体２０とを有しており、内側円筒体１９の内側は原水主流路２１となっていると共に、内側円筒体１９と外側円筒体２０との間の円環状断面を有する中空部は、両端を上流側閉塞部２２と下流側閉塞部２３とで覆って薬剤収容室１５となっている。また上流側閉塞部２２に設けられた薬剤収容室１５への原水流入路１６の流入口１６ｃが、原水主流路２１の内径を絞った部分（以下「第１縮径部」とする。）２１ａの上流側の部分（以下「流入口開口部」とする。）２１ｂに配置されて原水主流路２１の内側面４５に開口している。
【００１３】
また、本第１実施形態の混合用アタッチメント１０によれば、原水主流路２１は、原水流入路１６の流入口１６ｃが開口する部分である流入口開口部２１ｂの上流側の部分（以下「第２縮径部」とする。）２１ｃで内径が一旦絞られた後、当該流入口開口部２１ｂで内径が拡大し、さらにその下流側の第１縮径部２１ａで内径が絞られている。
【００１４】
流入口１６ｃは、第２縮径部の内径Ｄ３よりも内側に設けると、原水主流路２１に流動乱れが発生した場合、薬剤収容室に流入する原水の流動状態が直接影響を受けるため、第２縮径部の内径Ｄ３よりも外側に開口することが望ましい。
【００１５】
本第１実施形態の混合用アタッチメント１０によれば、原水流入路１６は、原水主流路２１の内側面の流入口１６ｃから薬剤収容室１５に向かって斜めに延設する部分１６ａを含んで設けられている。
【００１６】
本第１実施形態によれば、混合用アタッチメント１０は、略円柱形状の装置であって、上端部にはシャワー器具１１が螺合装着される装着穴２４が、周壁３３により囲まれて形成されている。またアタッチメント１０の下端部には、シャワー水供給ホース１２が装着される装着突起２５が、張出し基端部３０から下方に突出して設けられている。そして、装着穴２４と装着突起２５との間を貫通するようにして、混合用アタッチメント１０を縦断する原水主流路２１が、円形断面の混合用アタッチメント１０の中央部分に位置して内側円筒体１９の内側に形成されている。
【００１７】
また、内側円筒体１９と同心状に配置される外側円筒体２０は、透明な合成樹脂製の部材であって、上下の端部から径方向内方に突出して一体として設けられた上流側内側閉塞部２２ｂ及び下流側内側閉塞部２３ｂと、内側円筒体１９の外周面とで囲まれた空間が円環状断面の薬剤収容室１５を形成している。また外側円筒体２０には、これの上端部分に空気孔２６が開口形成されていると共に、下端部分に水抜き注入孔２７（水抜き及び薬剤の注入を行うための孔）が空気孔２６の垂直下方に位置して設けられている。さらに外側円筒体２０の外側を覆うようにして、透明な円筒状のカバー体２８が装着されており、このカバー体２８は、外側円筒体２０に対して上下にスライド移動可能で、且つ外側円筒体２０と係止一体化されて外側円筒体２０と共に上流側外側閉塞部２２ａ及び下流側外側閉塞部２３ａに対して回転スライド可能に設けられている。
【００１８】
さらに、本第１実施形態によれば、上流側内側閉塞部２２ｂと共に上流側閉塞部２２を構成する上流側外側閉塞部２２ａは、張出し基端部３０を挟んで装着突起２５と一体成形され、内側円筒体１９の外周面を覆うようにして装着固定されると共に、上流側内側閉塞部２２ｂの外側から内側円筒体１９と外側円筒体２０との間の間隔を塞ぐように取り付けられる部分である。また下流側内側閉塞部２３ｂと共に下流側閉塞部２３を構成する下流側外側閉塞部２３ａは、内側円筒体１９の上端から径方向外方に延設されるようにして内側円筒体１９と一体成形され、下流側内側閉塞部２３ｂの外側から内側円筒体１９と外側円筒体２０との間の間隔を塞ぐように設けられる部分である。なお、本第１実施形態によれば、外側閉塞部２２ａ，２３ａと内側閉塞２２ｂ，２３ｂとの接合箇所やその他の部材同士の接合箇所には、必要に応じて適宜Ｏリング等が設けられ、これらの接合箇所の止水性を向上させている。
【００１９】
原水流入路１６ａの内径を大きくした場合、薬剤収容室に流入した原水が逆流する可能性があり、原水流入路１６ａの内径を小さくする必要がある。しかし、原水流入路１６ａの内径を小さくした場合は、原水の供給圧力が変動した場合に安定的に原水を薬剤収容室１５に流入させることが困難であった。原水主流路２１に内径を絞った部分を設けることによって、原水流入路１６ａの内径が小さくても薬剤収容室１５に安定的に原水を流入させることができるようになった。
【００２０】
そして、本第１実施形態によれば、図３に示すように、原水流入路１６の流入口１６ｃが開口する原水主流路２１の流入口開口部２１ｂの下流側において、内径が絞られる部分である第１縮径部２１ａは、原水主流路２１の軸方向と直角な面に沿った円環状の段差面４２を流入口開口部２１ｂとの間に介在させることにより、その直径D1が、流入口開口部２１ｂの直径D2の３０〜９０％の割合となるように縮径している。これにより原水を圧縮させて、流入口１６ｃの解放時に当該流入口１６ｃに原水を取り込みやすいという利点が得られることになる。
【００２１】
また、本第１実施形態によれば、原水流入路１６の流入口１６ｃは、流入口開口部２１ｂの内側面４５において開口しており、原水流入路１６の上流側外側閉塞部２２ａに形成される外側原水流入路１６ａは、例えばシャワー器具においては、０．３〜６ｍｍ程度の内径を備えると共に、流入口１６ｃから薬剤収容室１５に向かって、原水主流路２１の軸方向に対して例えば５〜８０度程度の角度で斜めに延設して設けられている。
【００２２】
さらに、本第１実施形態によれば、原水流入路１６の流入口１６ｃが開口する流入口開口部２１ｂの上流側において、原水主流路２１は、第２縮径部２１ｃとしてその内径が一旦絞られている。すなわち、第２縮径部２１ｃは、原水主流路２１の軸方向と直角な面に沿った円環状の段差面４３を流入口開口部２１ｂとの間に介在させることにより、その内径D3が、流入口開口部２１ｂの内径D2の３０〜９０％の割合となるように縮径している。これにより第２縮径部２１ｃを通過した原水は、流入口開口部２１ｂで原水主流路２１の軸方向に対し斜め方向への流動が発生し、当該流入口１６ｃに原水を取り込みやすいという利点が得られることになる。また、本第１実施形態によれば、第２縮径部２１ｃの内径D3は、第１縮径部２１ａの内径D1より大きくなっている。それにより更に当該流入口１６ｃに原水を取り込みやすいという利点が得られることになる。
【００２３】
一方、本第１実施形態によれば、外側円筒体２０の外側に装着されたカバー体２８の操作によって、スライド係止機構を介して薬剤収容室１５に収容された混合用薬剤の流入路１６及び流出路１７の開閉や、薬剤収容室１５からの水抜き及び薬剤収容室１５への混合用薬剤の注入が可能な状態への切替えを、容易に行うことができるようになっている。すなわち、図４に示すように、円筒状のカバー体２８の上半部分には、当該カバー体２８のスライド移動を容易に行わせるための滑り止め用の凸状３７が複数設けられており、またカバー体２８の下端縁部には、スライド係止機構として切り欠き凹部２９が設けられ、この切り欠き凹部２９は、装着突起２５の張出し基端部３０から上方に突出して設けられた基端係止突起３１と係止されるようになっている。また、カバー体２８の上端には、カバー体突起３２が上方に突出して設けられ、このカバー体突起３２は、装着穴２４の周壁３３の下端縁に沿って周方向に延設形成された切欠き凹溝３４にスライド可能に遊嵌係止されるようになっている。さらに、カバー体２８には、その上端部にカバー体空気孔３５が、その下端部にカバー体水抜き注入孔３６が各々開口形成されており（図２（ａ）参照）、これらのカバー体空気孔３５及びカバー体水抜き注入孔３６は、外側円筒体２０の空気孔２６及び水抜き注入孔２７と同時に合致できるように、これらの間隔と等しい間隔で、且つカバー体水抜き注入孔３６をカバー体空気孔３５の垂直下方に位置させた状態で設けられている。
【００２４】
そして、カバー体２８を外側円筒体２０に対して下方にスライド移動させて切り欠き凹部２９を基端係止突起３１に係止させれば、空気孔２６とカバー体空気孔３５、及び水抜き注入孔２７とカバー体水抜き注入孔３６とが同時に合致することになると共に（図５（ａ），（ｂ）参照）、上流側外側閉塞部２２ａに形成された外側原水流入口１６ａと上流側内側閉塞部２２ｂに形成された内側原水流入口１６ｂ、及び下流側外側閉塞部２３ａに形成された外側流出口１７ａと、下流側内側閉塞部２３ｂに形成された内側流出口１７ｂが連通しない状態となる。この状態（図３参照）から、カバー体２８を外側円筒体２０に対して上方にスライド移動させれば、切り欠き凹部２９の基端係止突起３１への係止状態が開放されると共に、カバー体２８の上端のカバー体突起３２が切欠き凹溝３４の左端に配置され、またカバー体２８の内側面に形成された一体化係止溝３８が、外側円筒体２０の外周面に形成された一体化係止凸条３９に係止されて、カバー対２８と外側円筒体２０とが一体として回転できる状態となる。なお、カバー体２８を外側円筒体２０に対して上方にスライド移動させることにより、合致していた空気孔２６とカバー体空気孔３５、及び水抜き注入孔２７とカバー体水抜き注入孔３６が上下にずれてこれらが閉塞されることになる（図２（ａ）参照）。
【００２５】
カバー体２８を上方にスライド移動させてカバー体２８と外側円筒体２０とが一体として回転可能な状態から、さらに、カバー体突起３２を切欠き凹溝３４に沿って右側に回転移動させつつ、カバー体突起３２が切欠き凹溝３４の右端に当接するまでこれらをスライド回転させれば、外側閉塞部２２ａ，２３ａと内側閉塞部２２ｂ，２３ｂとが相対的にスライド回転して、上流側外側閉塞部２２ａに形成された外側原水流入路１６ａと上流側内側閉塞部２２ｂに形成された内側原水流入路１６ｂ、及び下流側外側閉塞部２３ａに形成された外側流出路１７ａと下流側内側閉塞部２３ｂに形成された内側流出路１７ｂとが連通した状態となり（図２（ｂ）参照）、原水流入路１６及び流出路１７が同時に形成されて、薬剤収容室１５に原水を流入させると共に混合用薬剤を流出させることが可能になる。
【００２６】
一方、原水流入路１６及び流出路１７が同時に開放されて混合用薬剤の流出が可能となった状態から、カバー体２８と外側円筒体２０とを一体として逆方向にスライド回転させれば、原水流入路１６及び流出路１７が同時に閉塞して、混合用薬剤の流出及び原水の薬剤収容室１５への流入が遮断された状態に容易に復帰することになる。さらにカバー体２８を外側筒体２０に対して下方にスライド移動させれば、空気孔２６とカバー体空気孔３５、及び水抜き注入孔２７とカバー体水抜き注入孔３６が合致した状態に再び復帰することになり、薬剤収納室１５に残存する流体を排出することが可能になる。
【００２７】
なお、本第１実施形態によれば、薬剤収容室１５の上流側端部における原水流入路１６の出口と接続して、流出路１７に向かう螺旋流を薬剤収容室１５内に生じさせる螺旋流発生手段１８が設けられている。すなわち、本第１実施形態によれば、螺旋流発生手段１８は、例えば図６にも示すように、内側原水流入路１６ｂと連通して上流側内側閉塞部２２ｂの上方に突出して設けられると共に、円環状断面を有する薬剤収容室１５の下端部分に周方向に１８０度の間隔をおいて配置された、放流口４１を有する上端が閉塞された一対の中空円筒突起４０からなるものである。またこれらの中空円筒突起４０は、放流口４１を、各々円環状断面の薬剤収容室１５の周方向に沿った同じ回転方向に向けて横向きに開口させていることより、原水流入路１６から流入する原水を円環状断面の周方向に向けて放流口４１から放流させ、これによって薬剤収容室１５内に、流出路１７に向かう螺旋流を発生させるようになっている。
【００２８】
図７（ａ）及び（ｂ）は、本発明の第２実施形態に係る混合用アタッチメント８０を示すものである。本第２実施形態の混合用アタッチメント８０は、上記第１実施形態の混合用アタッチメント１０と略同様の構成を備える一方で、内側円筒体１９に対する外側円筒体２０の回転操作によって上流側閉塞部８１に形成された原水流入路８３及び下流側閉塞部８２に形成された流出路８４の開閉を行う機構が、上記第１実施形態の開閉機構とは相違している。また本第２実施形態によれば、上流側閉塞部８１に設けられた薬剤収容室１５への原水流入路８３の流入口８３ｃが、原水主流路２１の内径を絞った部分２１ａの上流側の部分２１ｂにおいて、当該原水主流路２１の内径が絞られる部分２１ａの直前に配置されて原水流入路２１の内側面に開口している。さらに、原水流入路８３は、流入口８３ｃから薬剤収容室１５に向かって斜めに延設する部分を含むことなく、その開始部分において流入口８３ｃから原水主流路２１の軸方向と垂直な方向に延設して設けられている。
【００２９】
また、本第２実施形態によれば、内側円筒体１９には、周面が上流側閉塞部８１及び下流側閉塞部８２によって覆われる部分に、上流側連通孔８５及び下流側連通孔８６が、当該内側円筒体１９の周壁を横方向に貫通するようにして、周方向の同じ位置に上下に配置されて各々開口形成されている。また上流側閉塞部８１及び下流側閉塞部８２の内部に各々形成された流入路８３及び流出路８４は、円環状部分である当該上流側閉塞部８１及び下流側閉塞部８２の周方向に沿って、これらの中央部分を同心状かつ円環状に貫通するようにして各々設けられている。
【００３０】
さらに、本実施形態によれば、上流側閉塞部８１の内部に形成された原水流入路８３は、周方向の特定の位置において、内側円筒体１９の外周面を覆う部分の上流側閉塞部８１を貫通して形成された流入口８７（図７（ｂ）参照）を有していると共に、流入路８３の天面壁を貫通して周方向に複数箇所開口形成された収容室側連通孔８８を有しており、これらの収容室側連通孔８８を介して、流入路８３から薬剤収容室１５に原水を供給することができるようになっている。また下流側閉塞部８２の内部に形成された流出路８４は、流入口８７と同じ方向を向いた周方向の特定の位置において、内側円筒体１９の外周面を覆う部分の下流側閉塞部８２を貫通して形成された流出口８９（図７（ｂ）参照）を有していると共に、流出路８４の下面壁を貫通して周方向に複数箇所開口形成された収容室側連通孔９０を有しており、これらの収容室側連通孔９０を介して、混合用薬剤を混入した原水を薬剤収容室１５から流出路８４に排出することができるようになっている。
【００３１】
そして、本第２実施形態の混合用アタッチメント８０によれば、上記第１実施形態の混合用アタッチメント１０と同様の、内側円筒体１９に対し、上流側閉塞部８１及び下流側閉塞部８２に係止一体化された外側円筒体２０の回転操作によって、図７（ａ）に示すような、上流側連通孔８５及び下流側連通孔８６と、流入路８３の流入口８７及び流出路８４の流出口８９とが互いにずれた状態と、図７（ｂ）に示すような、上流側連通孔８５及び下流側連通孔８６と、流入路８３の流入口８７及び流出路８４の流出口８９とが同時に合致する状態とを容易に切り替えることができると共に、上流側閉塞部８１に設けられた薬剤収容室１５への原水流入路８３の流入口８３ｃが、原水主流路２１の内径を絞った部分２１ａの上流側の部分２１ｂに配置されて原水流入路２１の内側面に開口しているので、上記第１実施形態の混合用アタッチメント１０と同様の作用効果を奏することになる。
【００３２】
なお、本発明は上記各実施形態に限定されることなく種々の変更が可能である。例えば、本発明の混合用アタッチメントは、シャワー水に浴用薬剤やスキンケア用薬剤等の身体用薬剤を混合して送り出すものに限定されることなく、シャワー器具以外のその他の散布器具に取り付けて、各種の液状、ゲル状、粒状、固形状等の家庭用消費薬剤や農業用薬剤等の薬剤を原水に混合するべく採用することもできる。また、薬剤収容室の内部に螺旋流を生じさせる螺旋流発生手段を設ける必要は必ずしもなく、原水流入路の流入口が開口する部分の上流側において原水流入路の内径を一旦絞る必要は必ずしもない。
【００３３】
そして、本発明によれば、例えば上述の構成を有する混合用アタッチメント１０，８０を、シャワー器具とシャワー水供給ホースとの間に介在させて使用する以外に、図８に示すように、これらの混合用アタッチメント１０，８０をシャワー器具７０に一体として取り付けて、混合用薬剤をシャワー水と共に流出させる状態と、シャワー水のみを流出させる状態とを切り替え可能な機能を備えるシャワー器具７０として用いることもできる。すなわち、混合用アタッチメント１０，８０は、公知の各種の取付け手段を介して、例えば脱塩素フィルターを備える浄水部７１と共に、シャワー器具７０に一体として取り付けて用いることができる。また、混合用アタッチメント１０，８０は、シャワー器具７０の外部から見えないように当該シャワー器具７０に内蔵させて取り付けることもできる。
【図面の簡単な説明】
【００３４】
【図１】本発明に係る混合用アタッチメントをシャワー器具に取り付けて使用する状況を説明する側面図である。
【図２】（ａ）及び（ｂ）は、本発明の第１実施形態に係る混合用アタッチメントにより混合用薬剤を原水に混合する状況を説明する断面図である。
【図３】薬剤収容室への原水流入路の流入口を、原水主流路の内径を絞った部分の上流側の部分に配置する構成を説明する要部拡大断面図である。
【図４】本発明の第１実施形態に係る混合用アタッチメントにおけるスライド係止機構を説明する正面図ある。
【図５】（ａ）及び（ｂ）は、本発明の第１実施形態に係る混合用アタッチメントに混合用薬剤を補充する状況を説明する断面図である。
【図６】本発明の第１実施形態に係る混合用アタッチメントに設けられた螺旋流発生手段を説明する略示斜視図である。
【図７】（ａ）及び（ｂ）は、本発明の第２実施形態に係る混合用アタッチメントにより混合用薬剤を原水に混合する状況を説明する断面図である。
【図８】本発明に係る混合用アタッチメントを一体として取り付けたシャワー器具を例示する断面図である。
【図９】従来の混合用アタッチメントを説明する部分破断側面図である。
【符号の説明】
【００３５】
１０，８０  混合用アタッチメント
１１，７０  シャワー器具
１２  シャワー水供給ホース
１３  上流側流路
１４  下流側流路
１５  薬剤収容室
１６，８３  原水流入路
１６ａ  外側原水流入路
１６ｂ  内側原水流入路
１６ｃ，８３ｃ  原水流入路の流入口
１７，８４  流出路
１７ａ  外側流出路
１７ｂ  内側流出路
１９  内側円筒体（内側筒体）
２０  外側円筒体（外側筒体）
２１  原水主流路
２１ａ  第１縮径部（原水主流路の内径を絞った部分）
２１ｂ  流入口開口部（原水主流路の内径を絞った部分の上流側の部分）
２１ｃ  第２縮径部（原水流入路の流入口が開口する部分の上流側の内径が一旦絞られた部分）
２２，８１  上流側閉塞部
２３，８２  下流側閉塞部
２８  カバー体
４２，４３  段差面
４５  原水主流路（流入口開口部）の内側面
８５  上流側連通孔
８６  下流側連通孔
８７  流入口
８８，９０  収容室側連通孔
８９  流出口
【図１】
2005152816.tif 000003
【図２】
2005152816.tif 000004
【図３】
2005152816.tif 000005
【図４】
2005152816.tif 000006
【図５】
2005152816.tif 000007
【図６】
2005152816.tif 000008
【図７】
2005152816.tif 000009
【図８】
2005152816.tif 000010
【図９】
2005152816.tif 000011